(57)【要約】      （修正有）【課題】エキスパンドメタルを用いて屈折や屈曲や穿孔加工を行い、立体形状物を容易に成形可能なエキスパンドメタルを提供する。【解決手段】  エキスパンドメタルを形成する段階で、予め、菱形開口を設けない平板部（リブと呼称する）を設けておき、この平板部の個所で、屈折・屈曲・穿孔などの通常の金属平板と同様な二次加工を行う。【選択図】図３
2007237291.tif 000002
【特許請求の範囲】
【請求項１】
所定巾の剛性薄板の全幅にわたり、横断方向の短い断続的な切れ目を設け、長手方向に短い間隔を置いた個所で、上記断続的な切れ目と切れ目の中間の箇所で、上記と同様な横断方向の短い断続的な切れ目を設け、同時に、上記それぞれの切れ目を長手方向に拡幅する操作を繰返すことにより、全面に細巾の鋼線を周囲四辺とする菱形開口が、互い違いに隣接して形成されてなるエキスパンドメタル帯状板において、長手方向の所定の一ないし複数の個所で、全巾方向にわたり、上記菱形開口が設けられていない平板部（以下リブと呼ぶ）が形成され、所定の一、ないし、複数の上記リブの箇所で、上記エキスパンドメタル帯状板を屈折したり、屈曲したり、連結孔・補強縁・補強溝を設けるなどして、三次元形状体としたことを特徴とする、リブ付きエキスパンドメタルからなる立体形状体。
【請求項２】
二以上のリブの箇所で、請求項１に記載の剛性薄板を、縁線と略直行する直線上で、順次反対方向に所定の角度をもって屈折、並びに／ないし、屈曲してなる、階段状、ないし、波形状の、リブ付きエキスパンドメタルからなる立体形状体。
【請求項３】
二以上のリブの箇所で、請求項１に記載の剛性薄板を、縁線と略直交する直線上で、複数回同じ方向に、所定の角度をもって、屈折、並びに／ないし、屈曲してなる、角筒状、ないし、半角筒状の、リブ付きエキスパンドメタルからなる立体形状体。
【請求項４】
リブの箇所で、連結孔、連結突起などの連結機構を設けてなる、請求項１、ないし、請求項３のいずれか一項に記載の、リブ付きエキスパンドメタルからなる立体形状体。
【請求項５】
請求項１、ないし、請求項２のいずれか一項に記載のリブ付きエキスパンドメタルの帯状板を、二以上の所定のリブの箇所で、縁辺と直交しない、所定の交差角を持つ直線上で、順次、所定の方向に屈折、並びに／ないし、屈曲してなる、リブ付きエキスパンドメタルからなる立体形状物体。
【発明の詳細な説明】
【技術分野】
【０００１】  この発明は金属薄板加工の技術分野に属する。
【背景技術】
【０００２】  金属薄板全面に、横断方向全幅にわたって短い断続的な切れ目を設け、続いて、長手方向に短い間隔をおいて、上記断続的な切れ目と、横方向に半分位相をずらして、上記と同様な断続的な切れ目を設け、同時に、上記それぞれの切れ目を、切れ目と直交する方向に拡幅して、周囲四辺が細い金属線で構成された菱形開口が、互い違いに、全面に設けられたエキスパンドメタルを用いて、立体形状物を形成するものである。
【発明の開示】
【０００３】  一般に使用されているエキスパンドメタル板は、周囲が細い金属線で構成された菱形開口が、板全面に設けられている。このようなエキスパンドメタルを用いて立体形状物を形成するためには、上記の板を切断したり、屈折したり、屈曲したり、穿孔したりすることが必要になり、必然的に板を構成している細い金属線に上記の加工をすることになり、無理が生ずる。
この発明は、このような不都合を解決するためエキスパンドメタルの形成時に、所定の一ないし複数の個所で、菱形開口が形成されない平板部、以下「リブ」というを設け、このような「リブ付きエキスパンドメタル」を用い、上記リブの個所で屈折・屈曲・孔あけ、などの二次加工を行って、立体形状物を形成するものである。
【発明が解決しようとする課題】
【０００４】  細い金属線で菱形開口の周辺が形成されている従来のエキスパンドメタルは、屈折や屈曲が非常に困難である。屈折したり屈曲したりすると、上記の菱形開口の形状が歪められてしまい、所望の形状が得られないという問題がある。
この発明は、このような問題を解決して、屈折や屈曲が可能なエキスパンドメタルを提供することを課題としている。
【課題を解決するための手段】
【０００５】  この課題を解決するため、所定巾の平板状の鋼板・アルミニウム板・半硬質プラスチック板などを原板としてエキスパンドメタルを形成する際、長手方向の一ないし複数の個所で、開口を設けない平板状の“リブ”を形成し、上記リブの個所で、上記リブ付きエキスパンドメタルを、屈折させたり、屈曲させたり、補強ビードを設けたり、連結孔を設けたり、付属物を付加したりして、立体形状物を形成せんとするものである。
【発明の効果】
【０００６】  菱形開口を設けないリブの個所は、通常の平板と同じ条件であるから、屈折・屈曲・穿孔・接合などが可能なので、エキスパンドメタルの二次加工がし難いという大きな欠点を解消し、その用途を飛躍的に拡大することができ、安価・軽量な特徴のある種々の製品が供給可能となる。
【発明を実施するための最良の形態】
【０００７】  エキスパンドメタルを生産する場合には、鋼板などの平板を加工機械に挿入し、断続的な切れ目を設け、短い距離をおいて、上記の切れ目と切れ目の中間の個所に、同様な断続的な切れ目を設ける。同時にそれぞれの切れ目を、切れ目と直交する方向に拡幅して菱形開口に変形させる手段を繰返すことにより、板全面に細い線材で囲まれた菱形開口が、互い違いに形成された状態が得られる。この発明では、所定の個所で断続的な切れ目を設けない、平板状の個所を残す操作を行うものである。
【実施例１】
【０００８】  角筒状物
図１に示すのは、巾１メートル、長さ２メートルの鋼製のリブ付きエキスパンドメタル原板１０である。
巾１メートルの鋼鈑の長手方向の両先端部と、中間部三ヶ所の合計五箇所に、全巾に亘る菱形開口を設けない平板状のリブ１２を形成する。リブ１２の送り方向の長さは６センチメートル、最終端のみは３センチメートルである。前後両先端部に沿って、所定の間隔で複数の連結孔１３を設けておく。
次いで、最終端を除き、それぞれのリブ１２を、リブの短尺方向の中央線１４（破線で図示）上で次々に、略直角に同じ方向に屈折して、断面形状が一辺約２５センチメートルの正方形の角筒状とし、両先端部のリブ１２同士を重ね合わせ、重なり合う連結孔１３同士をボルト・ナットで連結し、図２に示す角筒状物２０を完成する。
図３に示すのは、前実施例と同様、四枚のリブ付きエキスパンドメタルからなる、角筒状物２０である。図１に示したと同様なリブ１２を介して横方向に連結された、四枚のリブ付きエキスパンドメタル１０を、リブ１２の個所で順次同じ方向に、直角に屈折して角筒状にした上で、両縁同士を連結して形成したものである。
図４に示すような長方形の平板の四縁を、それぞれ上方に短く直角に屈折して角皿状底板４０を形成し、この底板に上記角筒状物２０を差し込んで連結して形成したもので、図５に示す通気性・通水性のある、簡便な容器４１として用いることができる。同様な考えで、図６に示すような三角形状の容器４１も簡単に形成できる。部屋の隅に置く紙屑籠などとして使用すると、スペースをとらないので都合がよい。
【実施例２】
【０００９】  波形状物
図７に示すのは、巾２メートルの長尺のリブ付きエキスパンドメタル原板１０からなる波形状物７０である。図１と同様、エキスパンドメタルの先端部と後端部、並びに、中間部５箇所の合計７箇所でリブ１２が形成されている。リブの巾（原板の長手方向の長さ）は、先後両端部で３センチメートル、中間部で５センチメートルである。各リブ１２の両側端部と、中央の合計三箇所にボルト用の連結孔１３を設けておく。
上記リブ１２の巾方向の直線上で、挟角９０度で、順次、逆方向に屈折して波形状物７０を形成する。
それぞれの屈折箇所には、隅切辺７１を設けて鋭利な角を和らげた上、それぞれの隅切辺７１の、長手方向の両側端と中央には連結孔１３を設けておく。
【実施例３】
【００１０】  階段状物
図８に示すような水平に横たわる底材８１と、上記底材の後端に垂直に立設された縦材８２と、上記底材８１の先端と上記縦材８２の上端とを直線的に連結する斜材８３の三本の鋼製アングル材の端部同士を、直角三角形状に連結して構成したものである。
上記の三角枠８０二枚を平らな基盤上に、２メートル間隔で並立した上で、複数本の互いに平行な連結横材８４で連結して形成したものが三角枠台である。
上記階段状物８５の両側端部で、それぞれの隅切辺７１の下面側を、アングル状鋼材からなる三角台枠を用いて支持し、隅切辺７１に設けた連結孔１３にボルトを通して、上記三角台枠の棒状斜材８３と連結・固定し、安定させる。
二本の平行な棒状底材８１、上記棒状底材の末端部に略直交して立設された縦材８２を附設して階段を形成すると、商品の陳列棚や、屋外で盆栽や植木鉢を載せる階段式設置台、などとして使用するのに便利である。
【実施例４】
【００１１】  底  網箱
図９に示すのは、溝状物９０である。中央の巾広い底板９１の両側縁に直角に折り曲げられた広巾の平板からなる縁板９２を付設して形成したものである。
このような溝状物９０の前後両面にＬ字状の縁板９２を取付けて図１０に示すような網底を持つ浅い角型容器を形成することが出来る。
大型の「ふるい」や通風孔を形成するのに都合がよい。
【実施例５】
【００１２】  アーチ状物
図１１に示すのは両側縁に平板からなるリブを持つエキスバンドメタルからなるアーチ状物１１０である。白いペンキで塗装して洋風庭園で、“ツルバラ”や“ツタ”を絡ませて立体造形を演出するなどに適している。
この発明は、エキスパンドメタルの必要な箇所に、菱形空間のない平らな平板部（リブ）を設けることを特徴としている。この平板部（リブ）の個所では通常の金属板と同様に、屈折・屈曲・穿孔・補強溝付けなどの二次加工を自由に実施できるので、この特徴を生かして、リブの箇所で希望する加工を施すことにより、既存のエキスパンドメタルとは異なった種々の形状のエキスパンドメタル加工製品が生産可能となる。
エキスパンドメタルは、多数の菱形空間を有するので、平板に比較して軽量で、通気性・通水性もあり、透視も可能なので、通常の平鋼板からなるものとは異なった特性を持つ新しい製品が提供可能となる。
【産業上の利用可能性】
【００１３】  金属薄板は一般的に安価で、強度が大きく且つ耐水性、耐火性に富む上に、加工製品は各分野で広く利用されている。エキスパンドメタルはこの金属薄板を単純な二次加工で全面に開口を持ち、軽く、透視性、通気・通水性があるため一般生活にも広く用いられている。残念ながら細い線材で構成されているので、用途に適した二次加工製品に加工するのが難しいという欠点を有している。
この発明はエキスパンドメタルの所定の個所に開口のない平板部（リブと呼称されている）を設けることにより、このリブの個所では通常の金属薄板と同様の三次加工を容易にしたものであるから、種々の産業で広く利用可能となる。
【図面の簡単な説明】
【００１４】
【図１】  リブ付きエキスパンドメタルの一例を示す平面図である。
【図２】  屏風状物の一例を示す斜視図である。
【図３】  三角形状容器の一例を示す斜視図である。
【図４】  段段状物の一例を示す斜視図である。
【図５】  隅切辺を附設した屈折箇所の一例を示す斜視図である。
【図６】  隅切辺同士を連結する斜梁材の一例を示す斜視図である。
【図７】  角筒状物の一例を示す斜視図である。
【図８】  通水性の角筒状容器の一例を示す裏面斜視図である。
【図９】  溝状物の一例を示す斜視図である。
【図１０】  角型容器の一例を示す斜視図である。
【図１１】  アーチ状物の一例を示す斜視図である。
【符号の説明】
【００１５】１０  リブ付きエキスパンドメタル原板
１１  リブ
１２  連結孔
４０  角皿状底板
４１  角筒状物
６０  波形状物
６１  隅切辺
７０  三角枠
７１  底材
７２  縦材
７３  斜材
７４  連結横材
７５  階段状物
７６  三角段枠
【図１】
2007237291.tif 000003
【図２】
2007237291.tif 000004
【図３】
2007237291.tif 000005
【図４】
2007237291.tif 000006
【図５】
2007237291.tif 000007
【図６】
2007237291.tif 000008
【図７】
2007237291.tif 000009
【図８】
2007237291.tif 000010
【図９】
2007237291.tif 000011
【図１０】
2007237291.tif 000012
【図１１】
2007237291.tif 000013